(57)【要約】  多機能腕時計は複数のワールドを提供する。各ワールドは、そのワールド内で１以上の動作モードをサポートする。各ワールドのために別々のコンフィギュレーションを維持することができる。別々のナビゲーションメニューが各ワールドのために提供される。動作モードは、設定変更可能である。二重ワールドおよびワールド内の二重モードが提供される。ある実施形態では、ベゼルを操作することにより所望のワールドを選択できる。幾つかの実施形態では、ベゼルは回転し、複数のスイッチのうちの１つに係合して起動させ、対応するワールドを選択する。各ワールドは他のワールドとは独立して動作し、機能の一部はワールド間およびワールド内のモード間で共有できる。多機能腕時計がタイム、ライド、コンパスおよびスピードを含む４ワールドを提供する一例が記載されている。
2009534662.tif 000002
【特許請求の範囲】
【請求項１】
それぞれが腕時計の１以上の動作モードを規定している複数のワールドを提供するようになっているプロセッサと、
上記複数のワールドから現在のワールドを選択するために１以上のスイッチと協働するようになっているベゼルと、
現在のワールドによって規定された上記動作モードのうちの少なくとも１つにより維持される腕時計ディスプレイと
を備えた多機能腕時計。
【請求項２】
請求項１の多機能腕時計において、上記プロセッサは、各ワールドのための異なるコンフィギュレーションを維持する多機能腕時計。
【請求項３】
請求項２の多機能腕時計において、現在のワールドによって提供されているメニューからオプションを選択するための複数の制御手段をさらに備えた多機能腕時計。
【請求項４】
請求項３の多機能腕時計において、上記オプションは、現在のワールドのコンフィギュレーションを修正するために動作する多機能腕時計。
【請求項５】
請求項３の多機能腕時計において、上記複数の制御手段は、現在のワールドによって規定された上記モードの一つを選択するためのモードスイッチと、１以上のサブメニューをナビゲートし、上記メニューおよびサブメニューで提示されるオプションを選択するための少なくとも１つのスイッチとを含む多機能腕時計。
【請求項６】
請求項２の多機能腕時計において、上記プロセッサは、上記複数のワールドの全てに共通な動作を制御するためのコンフィギュレーションを維持する多機能腕時計。
【請求項７】
請求項１の多機能腕時計において、上記ベゼルは回転可能であり、現在のワールドはベゼル位置に基づいて選択される多機能腕時計。
【請求項８】
請求項１の多機能腕時計において、上記１以上のスイッチは上記ベゼルに対して所望の位置に設けられており、現在のワールドは対応するスイッチを起動させることにより選択される多機能腕時計。
【請求項９】
請求項１の多機能腕時計において、上記複数のワールドは、時間関連の情報を提供するタイムワールドと、測定された速度と関連した情報を提供するスピードワールドと、方向情報を提供するコンパスワールドと、１以上の旅行のための関連する期間、高度およびスピードを含む情報を提供するライドワールドを含む多機能腕時計。
【請求項１０】
腕時計の複数の機能を提供する方法であって、
２以上のワールドを提供し、各ワールドは各ワールドの表示特性および機能特性を規定する異なるコンフィギュレーションを有しており、
上記２以上のワールドのうちの１つを特定する指示を受けとり、
特定されたワールドの機能特性と整合した少なくとも一つの機能を実行し、
特定されたワールドの表示特性と整合した表示を提供することを特徴とする方法。
【請求項１１】
請求項１０の方法において、上記指示は特定されたワールドと関連したスイッチを起動させることによって提供される方法。
【請求項１２】
請求項１１の方法において、スイッチを起動させることは、回転可能なベゼルを正しい位置に置くことを含む方法。
【請求項１３】
請求項１０の方法において、特定されたワールドの少なくとも幾つかは、特定されたワールドのために保存されているメニューを使用して設定される方法。
【請求項１４】
請求項１３の方法において、特定されたワールドのために保存されているメニューは、他のワールドのために保存されているメニューとは別である方法。
【請求項１５】
それぞれが複数の機能を有する少なくとも２つのワールドから現在のワールドを特定するために１以上のスイッチと協働するようになっているベゼルと、
現在のワールドに測定値を提供するように構成された１以上の計測器と、
少なくとも１つの機能を使用して上記測定値を処理し、現在のワールドで定められているフォーマットに従って情報を表示するためのディスプレイに情報を提供するためのプロセッサと
を備えた多機能腕時計。
【請求項１６】
請求項１５の多機能腕時計において、各ワールドの少なくとも幾つかの特徴は、他のワールドの特徴とは異なる多機能腕時計。
【請求項１７】
請求項１６の多機能腕時計において、現在のワールドの特徴は、現在のワールドに設けられているメニューを用いて設定変更可能である多機能腕時計。
【請求項１８】
請求項１７の多機能腕時計において、現在のワールドの特徴を設定するための複数の制御手段をさらに備えた多機能腕時計。
【請求項１９】
請求項１８の多機能腕時計において、上記制御手段は、電気スイッチである多機能腕時計。
【請求項２０】
請求項１９の多機能腕時計において、上記制御手段は、モードスイッチ、スタートスイッチおよびストップスイッチを含む多機能腕時計。
【請求項２１】
請求項１９の多機能腕時計において、上記制御手段は、モードスイッチおよび少なくとも１つのメニューナビゲーションスイッチを含む多機能腕時計。
【請求項２２】
請求項２１の多機能腕時計において、上記ベゼルは回転可能であり、現在のワールドはベゼルの位置に基づいて特定される多機能腕時計。
【請求項２３】
請求項２２の多機能腕時計において、上記ベゼルはアクチュエータを含み、このアクチュエータが、現在のワールドに関連づけられた１以上のスイッチのうちの１つと係合したときに現在のワールドが特定される多機能腕時計。
【請求項２４】
請求項２１の多機能腕時計において、上記１以上のスイッチはベゼル上の所望の場所に設けられ、対応するスイッチを起動させることにより、現在のワールドが特定される多機能腕時計。
【発明の詳細な説明】
【技術分野】
【０００１】
本発明は、一般的には、腕時計に関し、より詳しくは、本発明は多機能腕時計に関する。
【背景技術】
【０００２】
様々な動作モードを提供する腕時計は、普通一般に入手可能である。
【０００３】
例えば、デジタル腕時計は、一般に、時刻機能、目ざまし時計機能およびストップウォッチ機能を含んでいる。しかしながら、ほとんどの腕時計は、限られたスペースとユーザの器用さ（操作力）の限界のために、限られた入力機能と表示機能しか有していない。腕時計機能を拡大するために、大ざっぱなメニューシステムを導入して、ユーザが腕時計の設定のためのパラメータを順次選択できるようにしていることが多い。しかしながら、現在のメニュー技術は、複合的かつ多岐に亘る機能がプログラムされなければならなくて、その結果としてのメニューのナビゲーションがますます時間のかかるものとなり、かつ、余りにも複雑で直観的に理解できないものとなるときには、限られた利点しかもたらさない。
【発明の開示】
【０００４】
本発明の実施形態は、複数のワールドが定義され、各ワールドがそのワールドでの１以上の動作モードをサポートしており、かつ、各ワールドが他のワールドのメニューとは別のメニューを含む多機能腕時計を提供する。ある実施形態では、動作モードは設定変更可能である。ある実施形態では、所与のワールドの設定変更可能な動作モードは、他のワールドの動作モードに対して違う態様で設定変更可能である。ある実施形態において、ベゼルを操作することによって、所望のワールドを選択できる。幾つかの実施形態において、ベゼルは回転して、複数のスイッチのうちの１つに係合して起動させ、それによって、対応するワールドを選択する。ある種の実施形態では、ワールド間のナビゲーションは、実質的に、または、排他的に１つの切換装置（好ましくは、対応するワールドを選択するための複数の異なったスイッチのいずれかに係合して作動させることができる操作可能なベゼル）により制御される。多くの実施形態において、各ワールドは、他のワールドとは独立に働く。一実施形態において、マルチモード腕時計は、ＴＩＭＥ（タイム）、ＲＩＤＥ（ライド）、ＣＯＭＰＡＳＳ（コンパス）およびＳＰＥＥＤ（スピード）ワールドを含む４つのワールドを提供する。いくつかの実施形態では、多機能腕時計は、設けられているワールドの各々のためにカスタマイズされる環境を提供できる。通常、各ワールドは、ディスプレイをフォーマットして、データを読み込むことができ、かつ機能を入力（例えばスイッチおよびボタン）に割り当てることができる。多くの実施形態において、特定の入力は、いくつかまたはすべてのワールドにおいて、同様の機能性を提供する。
【発明を実施するための最良の形態】
【０００５】
以下、本発明を図面を参照して詳述するが、図面は、当業者が本発明を実施できるよう本発明の説明に役立つ例として提供したものである。特に、図面及び下記の例は、本発明の範囲を制限するものではない。本発明の特定の要素が周知の構成要素を使用して部分的、または、完全に実施できる場合、そのような公知の構成要素のうち本発明の理解のために必要である部分だけを説明し、この種の公知の構成要素の他の部分の詳細な説明は、本発明を不明瞭にしないよう省略される。更に、本発明は、本願明細書において、例として言及している公知の構成要素の、現在および将来の公知の等価物を包含している。
【０００６】
本発明の特定の実施形態は、各ワールドが他のワールドとは独立に動作できる複数のワールドを提供する多機能腕時計を備える。多くの実施形態において、各ワールドは、多機能腕時計の少なくとも一つの動作モードを定める。これらの実施形態では、一動作モードは、複数組の動作、機能およびディスプレイを提供できる。いくつかの実施形態では、例えば、複数のタイムゾーン追跡、複数のタイマー、等をサポートするために、モードの複数の例を提供し得る。ある種の実施形態では、あるワールドのモードの少なくとも幾つかの動作および機能は、少なくとも一つの共通の特徴を有する。例えば、ＴＩＭＥワールドで、動作モードは、時計、一つ以上のタイマー、一つ以上の目ざまし時計およびクロノグラフを含むことができる。この例で動作モードの各々の共通の特徴が時間の測定であることはいうまでもない。
【０００７】
図１に示すように、多くの実施形態では、複数のワールドのための別々のコンフィギュレーション１５を保持できる。特定の実施形態では、プロセッサ１０は、コンフィギュレーション１５を記憶装置、典型的には、揮発性および不揮発性メモリの組合せ内に保持する。コンフィギュレーション１５は、対応するメニュー１４をナビゲートすることによって、修正またはアクセスされることができる。通常、各メニュー１４は、単一の対応するコンフィギュレーション１５と関係している。多くの実施形態において、コンフィギュレーションおよびメニューへのアクセスは、このコンフィギュレーションおよびメニューが現在選択されたワールドに関係している場合にだけ、提供される。多くの実施形態において、第１のワールドのコンフィギュレーションは、通常、第２のワールドのコンフィギュレーションに影響を及ぼさない。特定の実施形態では、ワールドの選択は、後述するように、選択制御装置１２を用いて行われる。後で更に詳細に述べられるように、あるワールドの中でのナビゲーションは、通常は、コンフィギュレーション制御装置１３を使用して遂行される。
【０００８】
少なくとも幾つかの実施形態で、共通コンフィギュレーション１６は、すべてのワールドのために保持されることができる。通常、共通コンフィギュレーション１６は、すべてのワールドにあてはまる構成要素、要素および機能を維持する。共通の要素の例としては、言語の選択、特定の較正値および特定のユーザインタフェース選択、例えば、タイムアウト値が挙げられる。機能の例としては、タイマー、アラーム、メッセージ機能およびメニューナビゲーション機能が挙げられる。多くの実施形態において、複数のワールドでの使用のために共通機能が提供されてもよい。そして、これらの実施形態の幾つかで、任意の一つのワールドの機能の操作は、その一つのワールドにより提供されるコンフィギュレーション情報を使用して制御できる。
【０００９】
特定の実施形態において、同一のワールドが、別個に設けられ、別個に保持されることができる。例えば、第１のＴＩＭＥワールドは太平洋標準時（「ＰＳＴ」）のような米国のタイムゾーンのために設定されることができる。一方、第２のＴＩＭＥワールドがヨーロッパのタイムゾーン、例えばグリニッジ標準時、「ＧＭＴ」のために設定されることができる。この実施形態では、２つのＴＩＭＥワールドにより提供されるアラームおよびタイマーは別々に保持されることができる。
【００１０】
一実施形態において、マルチモード腕時計は、ＴＩＭＥ、ＲＩＤＥ、ＣＯＭＰＡＳＳおよびＳＰＥＥＤワールドを含めて、４つのワールドをサポートすることができる。多くの実施形態において、各ワールドは、ディスプレイをフォーマットして、データを読み込むことができ、また、入力（例えばスイッチおよび押しボタン）を設定し制御できる。多くの実施形態において、特定の入力は、蒸気ワールドのいくつかまたはすべてにおいて、同様の機能性を提供する。例えば、多くの実施形態で、各ワールド内のコンフィギュレーションを制御するために該ワールドにおいて、動作するモードスイッチを設けることができる。上記ワールドの動作および付随する機能を、以下詳述する。
【００１１】
さて、図２を参照すると、多機能腕時計の一例が参照番号２０で示されている。この腕時計は、ベゼル２２、および、盤面上における選択位置に配置された複数の制御スイッチ２４０、２４１、２４２および２４３を備えている。制御スイッチ２４０―２４３の位置は、腕時計の着用者によって、簡単なアクセスのために選択される。図２の実施形態において、４つの制御スイッチ２４０―２４３は、腕時計の２つの側に、最大限離れて、位置している。
【００１２】
サポートされる腕時計機能および付随するプログラミングニーズに基づいて、４つの制御スイッチ２４０―２４３より多くの制御スイッチを設けることができる。サポートされる腕時計機能および付随するプログラミングニーズに基づいて、４つの制御スイッチ２４０―２４３より少ない制御スイッチを設けることもできる。幾つかの実施形態では、制御スイッチ２４０―２４３の一部を腕時計２０の一側に非対称的に配置できる。いくつかの実施形態では、制御スイッチ２４０―２４３の大多数または全てを、腕時計の一方の側に配置できる。例えば、スイッチ２４０―２４３のうちの３つ以上を側２０に沿って配置することができ、残りのスイッチ（もしあれば）２４０―２４３を側２０２に配置できる。
【００１３】
通常は、制御スイッチ２４０―２４３の各々は、少なくとも一つの機能を割り当てられる。ある種の実施形態では、制御スイッチ２４０―２４３のうちのいくつかの制御スイッチの機能は、複数ワールド全体に一貫して定められている。例えば、多くの実施形態で、腕時計に構成メニューを入力させるモード制御スイッチが定められている。コンフィギュレーションメニューは、通常、操作パラメータを設定するため、及び、腕時計の機能を補正するために用いる。一例において、目ざまし時計は、所定時間にアラームを起動させるようにプログラムされることができ、それによってアラームは、ユーザにより選択された音を発することができる。この例において、アラームの時間および音の選択は、コンフィギュレーションメニューを使用している着用者により行われることができる。ある種の実施形態では、所与のワールドのための動作モードと関連したコンフィギュレーションメニューはそのワールドにおいて、のみアクセス可能である。そして、好ましくは、ワールド間の移行は、単一の切換装置、例えば、ワールドを選択するために別々のワールドに対応する複数のスイッチのいずれか一つに係合して起動させることができる操作可能なベゼル、によって、独自に制御される。
【００１４】
ある種の実施形態では、ベゼル２２は、所望のワールドを選択するために操作されることができる。ワールドを選択すると、腕時計２０は、通常、選択されたワールドと関連した機能および動作を実行する。以前のワールドと関連した以前の機能および動作は終了させることもできるが、多くの機能および動作は、背景つまり隠れた機能および動作として実行できる。例えば、コンフィギュレーションメニューは、通常、ワールド間の移行があったときには放棄される。しかし、アラーム機能はワールドを切替えた後にさえ作動し続けることができる。このように、腕時計がＴＩＭＥ（タイム）ワールド以外のワールドにおいて、作動するように構成されていながらも、アラームを起動することができ、少なくとも幾つかの実施形態において、表示および音による通知が上記他のワールドにおいて、なされることができる。例えば、ＳＰＥＥＤ（スピード）ワールドにおいて、特徴的な信号音を伴う点滅インジケータを、アラームが起動したことを示すために用いることができる。
【００１５】
ある種の実施形態では、腕時計の動作は、現在選択されているワールドのために設定された特性に従って制御される。通常、腕時計２０は見かけの単一機能腕時計として作動する。そして、この単一機能と関連した特徴およびビヘービアを呈する。表示装置、入力スイッチおよび制御装置は、設定変更されることができるかまたはこの種の見かけの単一機能動作をサポートするために再定義されることができる。通常、ワールドメニューを通してのワールド間のナビゲーションは防止され、ワールドの移行は腕時計動作を所望のワールドに切り替えることによって、だけ遂行されることができる。このために、通常、コンフィギュレーションメニューは、各ワールドのために定められる。そして、各コントロールメニューは制御スイッチ２４０―２４３を使用してナビゲートされることができる。
【００１６】
いくつかの実施形態では、制御スイッチ２４０―２４３は、コンフィギュレーション機能以外の機能を割り当てられることが可能である。通常、制御スイッチ２４０―２４３は、単一機能腕時計と整合しているように見える腕時計レスポンス、表示および動作特性を得るために再設定されることができる。例えば、スタート／ストップ制御スイッチはストップウォッチにおいては有用性を有する、しかし、コンパスは、その機能のいずれをも開始したり止めたりするスイッチを必要とはしない。この後者の例において、スタート／ストップ制御スイッチは、ワールド移行の間、任意に使用不能でありえるかまたを、再定義できる。
【００１７】
ある種の実施形態では、腕時計ベゼル２２は、ワールド間で選択するために用いることができる。いくつかの実施形態では、腕時計ベゼル２２は、回転可能であり、腕時計ベゼル２２の方向に基づいて一つ以上の機能スイッチを起動させるようになっている。図３ａにおいて、示される例は一実施形態を表している。ここで、腕時計３０は、腕時計本体３１内の一つ以上の凹部３００、３０１、３０２および３０３を通じてアクセスされる制御スイッチ３３４を起動させるための少なくとも一つの突出部３２０を有する環状ベゼル２２を備えている。いくつかの実施形態では、スイッチ３３４は、突出部３２０によって、直接起動できる。この例において、突出部３２０は、略球状、円錐状、または、円筒状の突起または柱として形成されることができ、突出部３２０が凹部３０３上に整列配置（位置合わせ）されるときに、突出部３２０が凹部３０３を貫通して、スイッチ３３４を起動させるようにできる。ある種の実施形態では、突出部３２０はベゼル２２に取り付けられたインサート３４３上に形成することができ、インサート３４は、種々の金属およびナイロンまたは他のプラスチック材料を含め、任意の適切な材料で製造できる。いくつかの実施形態では、突出部３２０は、ほぼ凹部３０３内に設けられている推進器３３２を使用してスイッチ３３４を起動させる。
【００１８】
スイッチ３０３の起動は、突出部３２０と一つ以上の電気接点（図示せず）との直接の電気的接触により行うことができる。いくつかの実施形態では、突出部３２０が機械的に、押しボタンまたは他の機械的に作動されるスイッチの起動を生じさせることができる。いくつかの実施形態では、突出部３２０は、リードスイッチ、リレー、ホール効果スイッチ等を起動させるために充分な磁場を提供する材料から造られることが可能である。いくつかの実施形態では、突出部３２０は、スイッチ３３４の容量、誘導特性および、抵抗特性の組合せを変えることによって、スイッチの起動を生じさせることができる。ある種の実施形態では、ベゼル２２が時計フェースに対して所定の位置に保持またはロックされることができるように、突出部３２０が制御スイッチ凹部３００―３０３のうちの１つと係合するときにベゼルの回転に抵抗するように、突出部３２０は造られる。いくつかの実施形態では、一つ以上の付加的な突出部（図示せず）を、ベゼルのロックまたは安定化のために、設けることができる。
【００１９】
図３ｂを参照すると、特定の実施形態において、腕時計３４は、固定ベゼル３５および付加的な機能選択またはワールド選択スイッチ３５０、３５１、３５２および３５３を備えることができる。通常、スイッチ３５０―３５３は押しボタン式スイッチを使用して設けられている。但し、ベゼルへの圧力を検出するのに適している容量スイッチおよびトランスデューサを含め、他のタイプのスイッチを使用できる。いくつかの実施形態では、回転不能なベゼル３５が設けられており、それは、ベゼル３５上に特定された指定の圧点３５４、３５５、３５６および３５７の下方に配備されるスイッチ３５０―３５３に力を伝える。いくつかの実施形態では、スイッチ３５０―３５３は、傾斜式、揺動式、または変形可能なベゼル３５を使用して、機械的に起動できる。
【００２０】
ある種の実施形態では、腕時計ワールドを選択するためのスイッチは、腕時計のダイヤルの周りに同じ角間隔で置かれる。図２の実施形態において、位置インジケータ２２０が腕時計２０（すなわち、０度回転で）の最上位で位置するときに、腕時計は、例えば、時計（タイムピース）として機能できる。位置インジケータ２２０が腕時計２０２上の第二位置まで時計回りに９０度だけ回転するときに、腕時計は、例えば、ＲＩＤＥモードで機能できる。図２の腕時計２０において、ほぼ１２時、３時、６時および９時の位置に、ベゼル２２が係合できる４つの場所が定められている。いかなる実施形態においてもベゼルのために設けられる休止位置の数および場所は、腕時計に設けられた機能的構成要素の数、人間工学、およびデザイナーの好みを含む要因に依存することはいうまでもない。
【００２１】
多くの実施形態において、ベゼル２２は、腕時計のどの操作機能が現在選択されるかを特定するためのインジケータを含む。機能の特定は、いかなる適切な視覚手段および触覚手段によってもなされることができる。視覚的指示は、ベゼル２２、腕時計本体、時計の蓋ガラスおよび時計フェース上のマークの組合せを用いることによって、提供できる。この例において、腕時計２０の機能は、ＴＩＭＥ、ＲＩＤＥ、ＣＯＭＰ（コンパス）およびＳＰＥＥＤとして時計の蓋ガラスに表示される。いくつかの実施形態では、ベゼルは、現在の機能を示すポインタを含むように形づくられることが可能である。
【００２２】
また、図１に関して、多くの実施形態で、多機能腕時計２０は計測器１７を含むことができる。計測器１７には一つ以上の腕時計ワールドによって、使われる情報を提供するように構成されるバロメータ、コンパス、実時間時計、加速度計、ＧＰＳシステム、測定装置および計算機を含む。例えば、ＳＰＥＥＤ機能は、降下の速度を算出するために、加速度計、実時間時計およびバロメータを使用できる。計測器１７は、１またはそれ以上のコンフィギュレーション装置１３を使用して構成されることができ、コンフィギュレーション装置１３には、例えば、１またはそれ以上のモードスイッチ、セレクタスイッチおよびスタート／ストップスイッチを含んでいる。いくつかの実施形態では、ホイール、トラックボール、高感度パッド、キーパッドおよび従来の腕時計ワインダを含む回転可能な入力装置を組み込むことができ、腕時計およびその計測器の構成および動作に適合させるができる。
【００２３】
ある種の実施形態では、コンフィギュレーション装置１３の各々のいくつかの特徴は、すべての腕時計界において共通に共有されることができる。通常、コンフィギュレーション装置１３は、現在のワールドの中での腕時計の機能を管理するために用いることができる。例えば、スタート／ストップスイッチ２４２は、ＴＩＭＥモードでタイマーを始動するために用いてもよく、ＳＰＥＥＤモードでは、スタート／ストップスイッチ２４２を、平均速度の算出を開始するために用いることができる。計測器１７は、１またはそれ以上のコンフィギュレーション装置１３を使用して構成されることができる。コンフィギュレーション装置１３は、例えば、１またはそれ以上のモードスイッチ、セレクタスイッチおよびスタート／ストップスイッチを含んでいる。通常、コンフィギュレーション装置１３は、現在のワールドの中での腕時計の機能を管理するために用いることができる。例えば、スタート／ストップスイッチ２４２は、ＴＩＭＥモードではタイマーを始動するために用いられるかもしれないが、ＳＰＥＥＤモードでは、スタート／ストップスイッチ２４２を、平均速度の算出を開始するために用いることができる。図２において、表される多機能腕時計の例において、４つの制御スイッチが設けられている。それらのスイッチは、ライト制御２４０、モード／セット２４１、スタート／ストップ２４２およびラップ／リセット２４３を含む。図７は、図２に示された実施形態と類似の特徴を有する４ワールドの腕時計のための典型的な制御マトリックスを示す。ワールド選択１２およびコンフィギュレーション１３の制御スイッチ／装置の数および位置並びに対応する機能の割り当ては、所望の動作特性を提供するため、かつ、人間工学的設計等の要因を考慮して、必要に応じて変えることができる。しかしながら、ここでの説明のために、図２の例と類似の特徴を備え、図７に記載されている方法で動作する腕時計の例について詳細に説明する。
【００２４】
ある種の実施形態では、複数のコンフィギュレーションメニューを、対応する腕時計ワールドを設定するために設けている。メニューは通常、階層的であり、あるオプションが選択されるまで一レベルで設けられている複数のオプションのナビゲーションを可能とする。また、オプションの選択により、別のレベルの複数のオプションが示されることになるか、またはアクションが起こされることになる。アクションには、機能を使用可能または使用不可にすること、変数を設定すること、処理を始めることが含まれる。コンフィギュレーションメニューの各々の中のナビゲーションは、通常、他のコンフィギュレーションメニュー内でのナビゲーションから独立している。
【００２５】
図４に関して、さまざまなワールド４１、４２、４３、４４の処理をサポートするために、循環式メニューおよび相互に連結したメニューを必要に応じて実行できる。図４において、４つのワールド４１、４２、４３、４４のための最上位レベルのメニューが示されている。これらのメニューはワールド４１、４２、４３については循環式であり、ワールド４４については相互に接続している。循環式メニューにおいては、メニューオプションは、順次アクセスされ、実施形態によっては、前および後方向のナビゲーションがサポートされる。相互に連結したメニューにおいて、特定のオプションは複数の場所からアクセスされることができ、オプション間の不連続（ノンシーケンシャル）なジャンプはサポートされることができる。
【００２６】
各メニューは、コンフィギュレーションサブメニューが現在選択されたワールドの中で特定のコンフィギュレーションアクティビティを可能にする単一のメニュールートを定めることができる。いくつかの実施形態では、すべてのコンフィギュレーションアクティビティを対応するメニュールートで始めることは、１またはそれ以上のワールド内では望ましい。しかしながら、メニュー構造は、コンフィギュレーションメニューを特定の場所で抜け出ることができ、そのメニュー構造に再び入ったときにその選択場所でコンフィギュレーションが再開されるよう、ある程度の持続性を備えることができる。コンフィギュレーションメニューへの復帰がコンフィギュレーションメニューからの退出後所定時間以内で起こらなければならないように、持続を時間制限できる。いくつかの実施形態では、持続は、ワールドの変更によっても無効にすることができる。
【００２７】
メニュー持続の１つの例において、腕時計は、時計ワールドの中でストップウォッチとして機能するように設定されてもよく、それによって、ストップウォッチは、モードまたはコンフィギュレーションスイッチにより制御されることができる以上の特徴を提供する。これは、複数のタイマーがスプリットタイム能力をもって実行可能とされることができるときに、当てはまる。この例では、メニュー再入は、初期化、開始、停止、あるいは休止すべき複数のタイマーのうちの１つを選択することによって、複数のタイマーの動作を制御するために望ましい。いくつかの実施形態は、メニュー構造において、一場所から退出し、その同じ場所での再入を許容することによって、この種の動作の管理を容易にする。
【００２８】
ある種の実施形態では、機能の持続が、ワールド間に設けられている。機能の持続は、他のワールドが現在選択されるときでも、腕時計ワールドの動作が続くことを可能にする。基本的な実施例は、時計ワールドの動作を含む。選択されたとき、時計ワールドは、時刻、カレンダ、タイマー、アラーム、クロノグラフ、その他を含む共通腕時計機能の表示を生じさせる。加えて、モードスイッチを選択することによるコンフィギュレーション（設定）の開始は、時計モードのコンフィギュレーションができるようにするメニューの表示を開始させる。このコンフィギュレーションは、時刻、日付、その他の設定を含むことができる。メニューオプションは、時計ワールドの中でストップウォッチとして機能するように腕時計を設定できる。ストップウォッチを開始した後に、時計の主要な機能、動作および特徴に影響を及ぼすことなく、他のワールドを選択できる。このように、ワールドの選択に関係なく、時刻は通常維持される。加えて、他のワールドが選択されている間、ストップウォッチ動作は続行でき、また、アラームは作動中のままである。
【００２９】
多くの実施形態において、表示の制御は、現在選択されているワールドにより維持される。幾つかの実施形態では、一ワールド内の動作モードは表示の一部又は全てを制御できる。しかしながら、他の世界が表示を修正するか、中断するか、または、変えることを許容することは、望ましいことであろう。例えば、時計において、起動するアラームは、予め選択された音声アラームを伴う他の全てのワールドでの表示変化を引き起こすことができる。この表示変化は、アイコンを表示させるか、表示の一部を一時的に上書きしてもよい。いくつかの実施形態では、いくつかの腕時計機能は、所望の期間または無期限に、情報を他のワールドにおいて、表示させることができる。例えば、時刻は大々的にＴＩＭＥワールドでの表示であってもよいし、他のワールドが現在の時刻を示すために表示の一部を割り当ててもよい。
【００３０】
多くの実施形態において、多機能腕時計２０は、複数の腕時計タイプのいずれかとして機能するように構成されることができる。例えば、ＴＩＭＥワールドが選択され、一つ以上のタイムゾーンのための日付情報を有する基本的な時間表示部として設定されることができる。腕時計２０は、クロノグラフとして動作するよう設定できる。時計として作動している間、モード／セット２４１の起動は通常、時間、日付、アラームおよび他の関連した情報をユーザが設定できるようにするコンフィギュレーションメニューを始動させる。上述の通り、多くの実施形態において、時間ワールドは、腕時計ベゼルを回転させるかまたは操作することによって、始動させることができる。同様に、「ライドワールド」、「コンパスワールド」および「スピードワールド」が、上記の実施例に記載されている時計動作環境に言及するために用いられる。
【００３１】
図５について、多機能腕時計５０の表示部は、複数の形態で情報を伝達できる。ある種の実施形態では、グラフィックスディスプレイエリア５２は、腕時計の機能的構成要素により生成されるテキストおよびグラフィックスを表示するために設けられている。いくつかの実施形態では、ディスプレイ５０は、ベゼル設定情報表示、例えばＴＩＭＥ５００、ＲＩＤＥ５０１、ＣＯＭＰＡＳＳ５０２およびＳＰＥＥＤ５０３のワールド係合または選択ポイント、を表示することもできる。いくつかの実施形態では、オンにされることによって、または、他の適当な手段によって、アクティブなワールド５００―５０３は、色、明るさ、サイズにおいて、強調されることができる。複数の共通の腕時計機能または動作の状態はシンボル５４によって、示すことができる。そして、これらの機能または動作にはタイマー、タイム、クロノグラフ、およびアラームが含まれる。同様に、ワールド特有のインジケータ５６は、現在選択されている以外のワールドの動作において、注意が必要なことを示すことができる。モードスイッチおよびコンフィギュレーションスイッチは、インジケータ５１０、５１１、５１２および５１３により確認されることができる。他のディスプレイ素子がコンパス方位（Ｎ、Ｓ、Ｅ、Ｗ、など）インジケータ、速度および高度インジケータおよび他の有用なインジケータを含むことができることはいうまでもない。
【００３２】
図６に関して、最上位レベルのメニュー構造の例が示されている。この例において、２つの選択レベルが定められている：つまり、現在のワールドを選択するためのベゼルスイッチ選択６０および一つのワールドの中でメニューを横断するためのメニューナビゲーション６２である。ＴＩＭＥワールド６２０において、モードスイッチは、通常、オプションをループ式に順次見るために作動される。このように、時刻６２１をセットするオプション、一つ以上のタイマー６２２をセットするオプション、クロノグラフモード６２３を設定（コンフィギュレーション）するオプション、アラーム６２４をセットするオプションを、選択できる。
【００３３】
ＲＩＤＥワールド６２５において、モードスイッチは、 ＲＩＤＥモード動作６２６の設定（コンフィギュレーション）およびＲＩＤＥモードレコード６２７を管理または見るためのオプションとの間で選択をする。ＣＯＭＰＡＳＳワールド６３０では、代表的オプションは、ＣＯＭＰＡＳＳコンフィギュレーション６３１、基準高度６３２の設定、コンパス偏差６３３の設定およびコンパス補正６３４を含む。ＳＰＥＥＤワールド６３５においては、メニューオプションは、通常、スピードモード６３６の設定、傾斜パラメータ６３７の設定、および速度記録６３８の管理および表示を含む。いかなるオプションの選択も、通常は、変更可能なオプションを特定して変更するためのサブメニュー、または、システムパラメータを表示するためのサブメニューに、制御を回す。
【００３４】
多くの実施形態において、コントロールボタンがモードおよびコンフィギュレーションの選択のために設けられ、ベゼル機構がワールドを選択するために設けられる。
ワールド選択スイッチと協働またはワールド選択スイッチを特定する回転または固定ベゼルを用いて、ＴＩＭＥ、ＲＩＤＥ、ＣＯＭＰＡＳＳおよびＳＰＥＥＤワールドを含む複数のワールド間の選択を行うことができる。「ライト」ボタンは、表示部バックライトを点けるために設けることができる。「モード／セット」ボタンは、ワールド内の前景モードの変更（例えば、腕時計とストップウォッチとの選択）、設定モードの決定、選択された設定フィールドの変更を含む複数の機能を実行するために設けることができる。「スタート／ストップ／＋」ボタンは、動作、機能ユニットまたはアプリケーションを開始または停止するために、そして、選択されたパラメータまたは設定フィールドの値をインクリメントするために、設けることができる。「ラップ／リセット／-」ボタンは、ラップタイムを記録し、クロノグラフまたはタイマーをリセットし、選択されたパラメータまたは設定フィールドの値をデクリメントするために、用いることができる。
【００３５】
図７に示されているテーブルは、一実施形態の一例において、ライトボタン７０４、モード／セットボタン７０６、スタート／ストップ／＋ボタン７０８およびラップ／リセット／−ボタン７１０の動作を示す。ボタンの操作は、タイム（ＴＩＭＥ）７２ワールド、ライド（ＲＩＤＥ）７４ワールド、コンパス（ＣＯＭＰＡＳＳ）７６ワールドおよびスピード（ＳＰＥＥＤ）７８ワールドのため、そして、これらのワールド７２−７４、７６および７８内の関連したモード７００のために提供される。スイッチ動作は、通常、「１回押し」または「ホールド」７０２として特定される。
【００３６】
ある種の実施形態では、腕時計ボタンの予め定められた組合せの操作によって、一つ以上のワールドの部分的または完全なリセットが生じることがありえる。特に、ハードリセットおよびソフトリセットを実行することができ、それによって、ハードリセットは通常、腕時計におけるすべての格納コンフィギュレーションおよび記録データを開始し、腕時計機能を一から再スタートする一方、ソフトリセットは通常、特定のコンフィギュレーションおよび記録データを保存したまま腕時計機能を一から再スタートする。いくつかの実施形態では、ハードリセットは、特別なリセットスイッチを閉じることにより実行される。いくつかの実施形態では、ハードリセットは現在のワールドだけに適用されるが、他の実施形態では、一つ以上のワールドに影響を及ぼすことができる。ソフトリセットは、通常は、キーの組合せを同時にしばらくの間、例えば、ライトボタンと、モード／セットボタンと、スタート／ストップ／＋ボタンと、ラップ／リセット／−ボタンとを５秒間押下することにより実行される。一例において、リセットの後、腕時計は、ピエゾ（圧電）動作を確認するためにボタンビープ音(信号音）を生成し、表示部のすべてのＬＣＤ（液晶表示）部分をオンにし、ＥＬ（エレクトロルミネッセンス）表示部を２秒間オンにし、すべてのＬＣＤ部分およびＥＬをオフにし、ソフトウェアバージョン番号を含むコンフィギュレーション情報を表示すると共に、回転ベゼルにより示されている現在の機能のデフォルトモードを表示する。
【００３７】
特定の実施例において、マルチモード腕時計は、時刻、タイマー、クロノグラフ、アラーム、ライド、コンパスおよび速度を含む複数の作動モードを提供する。
いくつかの実施形態においては、ライドモード、コンパスモード、スピードモードを含むモードがベゼルによって、アクセス可能である。多くの実施形態において、ベゼルは、回転して、腕時計の周辺上の予め定められた場所で少なくとも一つのスイッチに係合するようになっている。いくつかの実施形態では、回転ベゼルの動作は、当該腕時計に設けられているプロセッサによって、他の腕時計スイッチよりも優先して処理される。
付加説明：
タイムワールドにおいて、腕時計の実施形態は、以下を含む特徴をサポートする：
・１２時間または２４時間フォーマットでの時間、分および秒の表示、
・自動的に、現在のタイムゾーンの日付に基づいて、曜日を決定、
・自動閏年処理、
・時間、分、月、日および年設定を有する二つのタイムゾーン、
・１００年自動カレンダー（２０００年１月１日− ２０９９年１２月３１日）、
・２４時間まで１秒の解像度を有するタイマー、
・次の３つのモードのいずれかにセット可能なタイマー：カウントダウン―停止、カウントダウン―繰り返し、カウントダウン−アップ、
・１時間まで１／１００秒の解像度、１００時間まで１秒の解像度を有するクロノグラフ、
・ラップディスプレイまたはスプリットタイムディスプレイを有するクロノグラフ、
・３つの独立したアラーム、それによって各アラームは、毎日、毎週、または、毎年の３つのタイプのいずれかにセット可能である。
ライドワールドにおいて、腕時計の実施形態は、
・１以上の内蔵の１００時間クロノグラフを備え、
・それによって、上記１以上のクロノグラフは高度転移数をカウントし、
・それによって、上記１以上のクロノグラフは高度の最大変化を決定し、
・それによって、上記１以上のクロノグラフは高度の平均変化を算出して、格納する。
コンパスワールドにおいては、腕時計の実施形態は、０度から３５９度までの読み込み範囲を有し、ある実施形態では１度の解像度を有する。
スピードモードにおいては、腕時計の実施例は、
・設定角度および垂直速度を考慮に入れて実際の速度を算出し、
・傾斜を検出する
構成部分を備える。
【００３８】
一実施例において、多機能腕時計は、腕時計機能を選択するため働くベゼル、腕時計動作を制御するためのプロセッサ、エレクトロルミネッセンス（ＥＬ）バックライト、液晶ディスプレイ、割り当てられた動作を有する複数のボタン（ライト、モード／セット、スタート／ストップ／＋、ラップ／リセット／−を含む）を備える。
これらの実施形態のうちの一部において、ベゼルは、主要な腕時計機能への容易なアクセスのために、回転可能である。これらの実施形態の一部において、ベゼルは、腕時計機能を選択するための複数のスイッチのうちの１つを起動または作動させるようになっている。
【００３９】
多くの実施例において、各世界における腕時計動作は、互いに異なっており、別個のものである。これらの実施形態では、通常ベゼルの操作を通じて関連する機能が選択されたときだけ、各ワールドのコンフィギュレーションに到達できる。第１のワールドのコンフィギュレーション中のおける第１のワールドから第２のワールドへのワールド変更は、いかなる不完全な変更も放棄されることとなり得る。
【００４０】
ある種の実施形態では、多機能腕時計２０は、時計フェースを見ることを容易にするディスプレイライトを含む。時計フェースは、通常、電子ディスプレイとして設けられている。ある種の実施形態では、電子ディスプレイは、液晶ディスプレイ（「ＬＣＤ」）部を含み、ライト制御は、液晶ディスプレイのバックライト照明を生じさせる。いくつかの実施形態では、電子ディスプレイは、発光ダイオードまたはＥＬ光等の技術を用いた発光表示部を含み、制御部２４０は、電子ディスプレイにより発される光強度を調整するために用いることができる。
【００４１】
本発明を実施形態に関して記載したが、その形態および詳細における変更及び改造を、本発明の精神と範囲から逸脱することなくなすことができることは、当業者にとっては直ちにわかるはずである。例えば、当業者は、上記のブロック図において、例示される部品の数および配置において、変更を行い得ることを理解するであろう。添付の請求の範囲は、この種の改変と変更態様を含むことを意図している。
【図面の簡単な説明】
【００４２】
本発明の構造および機能的な態様は、添付の図面を参照しながら、以下の詳細な説明を参照することで当業者により理解される。
【００４３】
【図１】図１は、本発明の一実施形態を表すブロック図である。
【図２】図２は、多機能腕時計の実施形態を表す。
【図３ａ】図３ａは、本発明の幾つかの実施形態におけるスイッチの相対的な位置およびベゼルの動作を例示する。
【図３ｂ】図３ｂは、本発明の幾つかの実施形態におけるスイッチの相対的な位置およびベゼルの動作を例示する。
【図４】図４は、複数のワールドの中での異なったメニューを例示する。
【図５】図５は、本発明の一実施形態において、設けられている表示を表す。
【図６】図６は、本発明の特定の実施形態により提供される最上位レベルのメニュー構造を示す。
【図７】図７は、本発明の実施形態の一例におけるスイッチ機能を特定するテーブルである。
【図１】
2009534662.tif 000003
【図２】
2009534662.tif 000004
【図３ａ】
2009534662.tif 000005
【図３ｂ】
2009534662.tif 000006
【図４】
2009534662.tif 000007
【図５】
2009534662.tif 000008
【図６】
2009534662.tif 000009
【図７】
2009534662.tif 000010
【国際調査報告】
2009534662.tif 000011
2009534662.tif 000012
2009534662.tif 000013